(57)【要約】【課題】上下方向に積み重ねても、上方のザルが滑り落ちることのないザルを提供する。【解決手段】ザル（１００）の底部（１１０）には下方に突出する凹部（１３０）が形成されており、凹部（１３０）を構成する相互に平行な一対の側壁（１３１）の間の間隔（Ｄ３）は、ザル（１００）の開口縁（１２１）を形成する一対の第一の周縁（１２２）及び一対の第二の周縁（１２３）のうち、第二の周縁（１２３）の間の間隔（Ｄ２）よりも小さい第一の周縁（１２２）の間の間隔（Ｄ１）に等しい。【選択図】図１
0003165744.tif 000002
【実用新案登録請求の範囲】
【請求項１】
底部と、前記底部の周縁から一方向に延び、先端において開口縁を形成する側壁部と、からなるザルであって、
前記開口縁は、相互に平行な一対の第一の周縁を備えており、
前記底部には、前記底部の内壁の一部が前記一方向とは反対方向に突出する凹部が形成されており、
前記凹部は相互に平行な一対の側壁を有しており、
前記凹部の前記一対の側壁の間の間隔は前記一対の第一の周縁の間の間隔に等しいものであるザル。
【請求項２】
底部と、前記底部の周縁から一方向に延び、先端において開口縁を形成する側壁部と、からなるザルであって、
前記開口縁は、相互に平行な一対の第一の周縁と、相互に平行な一対の第二の周縁とを備えており、
前記底部には、前記底部の内壁の一部が前記一方向とは反対方向に突出する凹部が形成されており、
前記凹部は相互に平行な一対の側壁を有しており、
前記一対の第一の周縁の間の間隔は前記一対の第二の周縁の間の間隔よりも小さく、
前記凹部の前記一対の側壁の間の間隔は前記一対の第一の周縁の間の間隔に等しいものであるザル。
【請求項３】
前記凹部の前記一対の側壁は前記一対の第二の周縁と平行に延びていることを特徴とする請求項２に記載のザル。
【請求項４】
前記底部及び前記開口縁はともに長方形形状をなしていることを特徴とする請求項２に記載のザル。
【請求項５】
前記凹部は枠型の形状をなしていることを特徴とする請求項１乃至４の何れか一項に記載のザル。
【考案の詳細な説明】
【技術分野】
【０００１】
本考案はザルに関する。
【背景技術】
【０００２】
ザルは野菜その他の食材の水切りに使用される。
【０００３】
調理場において食材を置くスペースが小さい場合には、複数のザルを上下方向に段違いに重ねて置くことがある。
【考案の開示】
【考案が解決しようとする課題】
【０００４】
このように複数のザルを重ねる場合、ザルは金属や樹脂などの滑りやすい材料でできているため、上下に重ねたザルのうち、上に位置するザルが直下のザルに対して滑り落ちてしまうことがある。
【０００５】
本考案はこのような従来のザルにおける問題点に鑑みてなされたものであり、上下方向に積み重ねても滑り落ちることのないザルを提供することを目的とする。
【課題を解決するための手段】
【０００６】
以下に、「考案を実施するための最良の形態」において使用される参照符号を用いて、上述の課題を解決するための手段を説明する。これらの参照符号は、「実用新案登録請求の範囲」の記載と「考案を実施するための最良の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、底部（１３０）と、前記底部（１１０）の周縁から一方向に延び、先端において開口縁（３２１）を形成する側壁部（１２０）と、からなるザル（３００）であって、前記開口縁（３２１）は、相互に平行な一対の第一の周縁（１２２）を備えており、前記底部（１１０）には、前記底部（１１０）の内壁の一部が前記一方向とは反対方向に突出する凹部（１３０）が形成されており、前記凹部（１３０）は相互に平行な一対の側壁（１３１）を有しており、前記凹部（１３０）の前記一対の側壁（１３１）の間の間隔（Ｄ３）は前記一対の第一の周縁（１２２）の間の間隔（Ｄ１）に等しいものであるザル（３００）を提供する。
【０００８】
本考案は、さらに、底部（１１０）と、前記底部（１１０）の周縁から一方向に延び、先端において開口縁（１２１）を形成する側壁部（１２０）と、からなるザル（１００）であって、前記開口縁（１２１）は、相互に平行な一対の第一の周縁（１２２）と、相互に平行な一対の第二の周縁（１２３）とを備えており、前記底部（１１０）には、前記底部（１１０）の内壁の一部が前記一方向とは反対方向に突出する凹部（１３０）が形成されており、前記凹部（１３０）は相互に平行な一対の側壁を有しており、前記一対の第一の周縁（１２２）の間の間隔（Ｄ１）は前記一対の第二の周縁（１２３）の間の間隔（Ｄ２）よりも小さく、前記凹部（１３０）の前記一対の側壁（１３１）の間の間隔（Ｄ３）は前記一対の第一の周縁（１２２）の間の間隔（Ｄ１）に等しいものであるザル（１００）を提供する。
【０００９】
前記凹部（１３０）の前記一対の側壁（１３１）は前記一対の第二の周縁（１２３）と平行に延びていることが好ましい。
【００１０】
前記底部（１１０）及び前記開口縁（１２１）はともに長方形形状をなしていることが好ましい。
【００１１】
例えば、凹部（４３０）は枠型の形状とすることができる。
【考案の効果】
【００１２】
凹部の一対の側壁の間の間隔は一対の第一の周縁の間の間隔に等しく設定されているため、２個のザルを上下方向において積み重ねる場合、上方にあるザルの凹部の一対の側壁は、下方にあるザルの第一の周縁の間に嵌め込むことが可能である。このため、上方にあるザルは、下方にあるに対して、一方向（例えば、凹部の長手方向）には動かず、当該一方向に直交する方向（例えば、凹部の長手方向と直交する方向）にのみ動く。上方にあるザルが一方向に動いたとしても、凹部が下方にあるザルの他方の周縁に当たるため、上方にあるザルは下方にあるザルに対して滑り落ちることはない。
【００１３】
このため、本考案に係るザルによれば、複数のザルを上下方向に段違いにして（上方にあるザルの第一の周縁が下方にあるザルの第一の周縁と直交するにして）積み重ねることが可能であり、上方にあるザルは下方にあるザルに対して滑り落ちることがない。
【図面の簡単な説明】
【００１４】
【図１】図１（Ａ）は本考案の第一の実施形態に係るザルを上方から見たときの平面図であり、図１（Ｂ）は図１（Ａ）のＡ−Ａ線における断面図である。
【図２】図２（Ａ）は二つのザルを上下方向において積み重ねた状態を上方から見たときの平面図であり、図２（Ｂ）は図２（Ａ）のＢ−Ｂ線における断面図である。
【図３】本考案の第二の実施形態に係るザルを上方から見たときの平面図である。
【図４】本考案の第三の実施形態に係るザルを上方から見たときの平面図である。
【図５】図５（Ａ）は、本考案の第四の実施形態に係るザルを上方から見たときの平面図であり、図５（Ｂ）は図５（Ａ）のＣ−Ｃ線における断面図であり、図５（Ｃ）は図５（Ａ）のＤ−Ｄ線における断面図である。
【考案を実施するための最良の形態】
【００１５】
（第一の実施形態）
図１（Ａ）は本考案の第一の実施形態に係るザル１００を上方から見たときの平面図であり、図１（Ｂ）は図１（Ａ）のＡ−Ａ線における断面図である。
【００１６】
本実施形態に係るザル１００は、底部１１０と、底部１１０の周縁から上方に延び、その先端において開口縁１２１を形成する側壁部１２０と、から構成されている。
【００１７】
底部１１０は長方形形状をなしており、このため、側壁部１２０はほぼ四角柱の形状をなしている。
【００１８】
側壁部１２０の先端の開口縁１２１はプレート状になっている。
【００１９】
本実施形態に係るザル１００は金属製であり、底部１１０及び側壁部１２０はメッシュ状に形成されている。
【００２０】
前述のように、側壁部１２０がほぼ四角柱の形状をなしているため、開口縁１２１も長方形形状をなしている。このため、開口縁１２１は、相互に平行な一対の第一の周縁１２２と、相互に平行な一対の第二の周縁１２３とを備えている。
【００２１】
一対の第一の周縁１２２の間の間隔Ｄ１は一対の第二の周縁１２３の間の間隔Ｄ２よりも小さい。
【００２２】
底部１１０には、底部１１０の内壁の一部が下方（すなわち、側壁部１２０が延びる方向とは反対の方向）に突出することにより、凹部１３０が形成されている。
【００２３】
凹部１３０は長方形形状をなしており、開口縁１２１がなす長方形の形状と相似の形状をなしている。
【００２４】
凹部１３０は側壁部１２０の高さよりも小さい一定の高さを有しており、さらに、相互に平行な一対の側壁１３１を有している。一対の側壁１３１は一対の第二の周縁１２３と平行になるように形成されている。
【００２５】
さらに、一対の側壁１３１の間の間隔Ｄ３は一対の第一の周縁１２２の間の間隔Ｄ１に等しくなるように設定されている。
【００２６】
Ｄ３＝Ｄ１
【００２７】
このため、凹部１３０を一対の側壁１３１を介して一対の第一の周縁１２２の間に嵌め込むことが可能である。
【００２８】
図２（Ａ）は二つのザル１００を上下方向において井桁状に積み重ねた状態を上方から見たときの平面図であり、図２（Ｂ）は図２（Ａ）のＢ−Ｂ線における断面図である。
【００２９】
図２（Ａ）及び図２（Ｂ）に示すように、上方にあるザル１００Ａの凹部１３０の一対の側壁１３１は、下方にあるザル１００Ｂの第一の周縁１２２の間に嵌め込まれている。このため、上方にあるザル１００Ａは、下方にあるザル１００Ｂに対して、Ｙ方向（凹部１３０の長手方向）には動かず、Ｘ方向（凹部１３０の長手方向と直交する方向）にのみ動く。上方にあるザル１００ＡがＸ方向に動いたとしても、凹部１３０が下方にあるザル１００Ｂの第二の周縁１２３に当たるため、上方にあるザル１００Ａは下方にあるザル１００Ｂに対して滑り落ちることはない。
【００３０】
このため、本実施形態に係るザル１００によれば、複数のザル１００を上下方向に段違いにして（上方にあるザル１００Ａの第一の周縁１２２が下方にあるザル１００Ｂの第二の周縁１２３と平行になるようにして）積み重ねることが可能であり、上方にあるザルは下方にあるザルに対して滑り落ちることがない。
【００３１】
（第二の実施形態）
第一の実施形態に係るザル１００においては、凹部１３０の一対の側壁１３１は一対の第二の周縁１２３と平行に延びているように形成されていたが、凹部１３０の一対の側壁１３１と一対の第二の周縁１２３とが相互に平行であることは必ずしも必要ではない。
【００３２】
図３は、本考案の第二の実施形態に係るザル２００を上方から見たときの平面図である。
【００３３】
図３に示すように、本実施形態に係るザル２００においては、凹部２３０は、その長手方向の中心線２３１が第一の周縁１２２に対して傾斜するように、形成されている。この点を除いて、本実施形態に係るザル２００は第一の実施形態に係るザル１００と同一の構成を有している。
【００３４】
本実施形態に係るザル２００によれば、上方にあるザルの第一の周縁１２２が下方にあるザルの第二の周縁１２３に対して傾斜をなした状態で、複数のザル２００を上下方向に段違いにして積み重ねることが可能であり、第一の実施形態の場合と同様に、上方にあるザルは下方にあるザルに対して滑り落ちることがない。
【００３５】
（第三の実施形態）
第一の実施形態に係るザル１００においては、底部１１０及び開口縁１２１はともに長方形形状をなしており、開口縁１２１は、相互に平行な一対の第一の周縁１２２と、相互に平行な一対の第二の周縁１２３とを備えているが、必ずしも開口縁１２１をこのような形状に形成する必要はない。
【００３６】
図４は、本考案の第三の実施形態に係るザル３００を上方から見たときの平面図である。
【００３７】
本実施形態に係るザル３００においては、底部３１０及び開口縁３２１は楕円形に近い形状をなしている。具体的には、開口縁３２１は、相互に平行な一対の第一の直線状の周縁１２２と、第一の周縁１２２の各々を接続する円弧状の周縁３２２と、から構成されている。底部３１０も開口縁３２１と同一の形状を有している。
【００３８】
このように、開口縁３２１が第一の周縁１２２と円弧状周縁３２２とからなる点を除いて、本実施形態に係るザル３００は第一の実施形態に係るザル１００と同一の構成を有している。
【００３９】
従って、本実施形態に係るザル３００における凹部１３０の一対の側壁１３１の間の間隔Ｄ３は一対の第一の周縁１２２の間の間隔Ｄ１に等しくなるように設定されている。
【００４０】
このため、本実施形態に係るザル３００によれば、第一の実施形態に係るザル１００と同様に、複数のザル１００を上下方向に段違いにして（上方にあるザルの第一の周縁１２２が下方にあるザルの第一の周縁１２２と直交するようにして）積み重ねることが可能であり、上方にあるザルは下方にあるザルに対して滑り落ちることがない。
【００４１】
なお、本実施形態に係るザル３００においては、底部３１０及び開口縁３２１は楕円形に近い形状をなしているが、底部３１０及び開口縁３２１の形状はこれには限定されない。開口縁３２１が相互に平行な一対の第一の周縁１２２を備え、さらに、凹部１３０の一対の側壁１３１の間の間隔Ｄ３が一対の第一の周縁１２２の間の間隔Ｄ１に等しいものである限りにおいて、底部３１０及び開口縁３２１は任意の形状をとることができる。例えば、底部３１０及び開口縁３２１の形状として、正方形、正六角形、正八角形などの多角形（偶数個の辺を有するもの）や、曲線を含む形状を選択することが可能である。
【００４２】
（第四の実施形態）
第一乃至第三の実施形態に係るザル１００、２００、３００においては、凹部１３０、２３０は四角柱の形状をなすものとして形成されているが、凹部１３０、２３０の形状は四角柱形状には限定されない。
【００４３】
図５（Ａ）は、本考案の第四の実施形態に係るザル４００を上方から見たときの平面図であり、図５（Ｂ）は図５（Ａ）のＣ−Ｃ線における断面図であり、図５（Ｃ）は図５（Ａ）のＤ−Ｄ線における断面図である。
【００４４】
図５（Ａ）、図５（Ｂ）及び図５（Ｃ）に示すように、本実施形態に係るザル４００における凹部４３０は外周の一定幅のみが下方に凸になっている枠型形状に形成されている。この点を除いて、本実施形態に係るザル４００は第一の実施形態に係るザル１００と同一の構成を有している。
【００４５】
本実施形態に係るザル４００においても、凹部４３０の一対の側壁４３１の間の間隔は一対の第一の周縁１２２の間の間隔に等しくなるように設定されている。このように、底部１１０に形成される凹部４３０は四角柱形状に限定されるものではなく、外周の一定幅のみが下方に凸をなす枠型形状とすることも可能である。
【符号の説明】
【００４６】
１００  第一の実施形態に係るザル
１１０  底部
１２０  側壁部
１２１  開口縁
１２２  第一の周縁
１２３  第二の周縁
１３０  凹部
１３１  側壁
２００  第二の実施形態に係るザル
２３０  凹部
３００  第三の実施形態に係るザル
３１０  底部
３２１  周縁
３２２  円弧状周縁
４００  第四の実施形態に係るザル
４３０  凹部
【図１】
0003165744.tif 000003
【図２】
0003165744.tif 000004
【図３】
0003165744.tif 000005
【図４】
0003165744.tif 000006
【図５】
0003165744.tif 000007